(57)【要約】【課題】色再現性が良く、色濃度が高く、耐光性、耐オゾン性に優れたインク組成物及びインクジェット記録用インクを提供すること。【解決手段】λmaxが３９０〜４７０ｎｍにあるイエロー染料を少なくとも２種以上含むインク組成物であって、該イエロー染料のうちλmaxが最も長波側にある染料と最も短波側にある染料とのλmaxの差が１２ｎｍ以上であるインク組成物及び該インク組成物を含むインクジェット記録用インク。λmaxが最も長波側の染料の下記褪色速度定数は１×１０-3［hour-1］以下であることが好ましい。【選択図】    なし【特許請求の範囲】
【請求項１】
λmaxが３９０〜４７０ｎｍにあるイエロー染料を少なくとも２種以上含むインク組成物であって、該イエロー染料のうちλmaxが最も長波側にある染料と最も短波側にある染料とのλmaxの差が１２ｎｍ以上であることを特徴とするインク組成物。
【請求項２】
前記イエロー染料の混合物のλmaxでの吸光度Ｉ（λmax）とλmax＋７０ｎｍでの吸光度Ｉ（λmax＋７０ｎｍ）との吸光度比Ｉ（λmax＋７０ｎｍ）／Ｉ（λmax）が、０．２０以下であることを特徴とする請求項１に記載のインク組成物。
【請求項３】
前記イエロー染料のうちλmaxが最も長波側の染料の下記褪色速度定数が、１×１０-3［hour-1］以下であることを特徴とする請求項１または２に記載のインク組成物。
ここで、染料の褪色速度定数とは、該染料を１種単独に含むインクを反射型メディアに印画した後に、印画された画像の反射濃度をステータスＡフィルターを通して測定し、イエロー領域における反射濃度（ＤB）が０．９〜１．１０である１点を初期濃度として規定して、前記画像に８５０００Ｌｕｘのキセノン光を照射して強制的に褪色させ、前記初期濃度を規定した１点の反射濃度が初期濃度の７０％となるまでの時間ｔから求めた値（（−ｌｎ０．７）／ｔ）である。
【請求項４】
前記イエロー染料のうちいずれか２種の染料において、λmaxが長波側の染料の褪色速度定数が短波側の染料の褪色速度定数より小さいことを特徴とする請求項１〜３のいずれかに記載のインク組成物。
【請求項５】
前記イエロー染料のうちいずれか２種の染料において、λmaxが長波側の染料の酸化電位が短波側の染料の酸化電位より高いことを特徴とする請求項１〜３のいずれかに記載のインク組成物。
【請求項６】
前記イエロー染料のうちいずれか２種の染料において、λmaxが長波側の染料の下記Δλmax(sol)が短波側の染料のΔλmax(sol)より大きいことを特徴とする請求項１〜３のいずれかに記載のインクジェット記録用インク。
ここで、Δλmax(sol)は、Ｎ，Ｎ−ジメチルホルムアミド溶液中での染料のλmaxと、水溶液中での該染料のλmaxとの差（Δλmax(sol)＝λmax(Ｎ，Ｎ−ジメチルホルムアミド溶液)−λmax(水溶液)）である。
【請求項７】
前記イエロー染料のうちいずれか２種の染料において、λmaxが長波側の染料が下記一般式（１）で表されることを特徴とする請求項１〜６のいずれかに記載のインク組成物。
【化１】
2005264085.tif 000028
一般式（１）中、Ｒ10は、水素原子、アルキル基、シクロアルキル基、アラルキル基、アルコキシ基またはアリール基を表す。これらの基は、いずれも置換基を有していてもよい。Ｒ11およびＲ12は、それぞれ独立して、水素原子、ハロゲン原子、ヒドロキシル基、アルコキシ基、アミノ基、スルホ基または複素環基を表す。Ｈｅｔは芳香族複素環基を表す。
【請求項８】
前記イエロー染料のうちいずれか２種の染料において、短波側の染料が下記一般式（２）で表されることを特徴とする請求項１〜７のいずれかに記載のインク組成物。
【化２】
2005264085.tif 000029
一般式（２）中、Ｒ4は１価の基を表し、Ｒ5は−ＯＲ6または−ＮＨＲ7を表し、Ｒ6およびＲ7は水素原子または１価の基を表し、Ｘ3は２価の連結基を表し、ｎ３は０または１であり、Ａｒ3はアリーレン基または２価の複素環基を表し、Ａｒ4はアルキル基、アリール基または１価のトリアジン環基を表す。
【請求項９】
請求項１〜８のいずれかに記載のインク組成物を含むことを特徴とするインクジェット記録用インク。
【請求項１０】
請求項９に記載のインクジェット記録用インクを用いることを特徴とするインクジェット記録方法。
【発明の詳細な説明】
【技術分野】
【０００１】
本発明は、色再現性が良く、耐光性に優れたインク組成物及びインクジェット記録用インクに関する。また本発明は、色相が良好で、耐光性に優れた画像を提供するインクジェット記録方法に関する。
【背景技術】
【０００２】
近年、コンピューターの普及に伴い、インクジェットプリンターがオフィスだけでなく、家庭で紙、フィルム、布等に印字するために広く利用されている。
インクジェット記録方法には、ピエゾ素子により圧力を加えて液滴を吐出させる方式、熱によりインク中に気泡を発生させて液滴を吐出させる方式、超音波を用いた方式、あるいは静電力により液滴を吸引吐出させる方式がある。これらのインクジェット記録用インクとしては、水性インク、油性インク、あるいは固体（溶融型）インクが用いられる。
【０００３】
これらのインクジェット記録用インクに用いられる色素に対しては、高濃度記録が可能であること、色相が良好であること、光、熱、空気、水や薬品に対する堅牢性に優れていること、記録材料（受像材料）に対して定着性が良いこと、インクとしての保存性に優れていること、毒性がないこと、純度が高いこと、さらには、安価に入手できることが要求されている。しかしながら、これらの要求を高いレベルで満たす色素を捜し求めることは、極めて難しい。特に、良好なイエロー色相を有し、色再現性に優れ、色濃度が高く、堅牢性の高い色素が強く望まれている。
【０００４】
インクとしても、色再現性に優れ、色濃度が高く、光や熱、オゾンに対する耐候性の高いものが望まれる。
イエローインクには、オゾン褪色のバランスを保持するために、２種以上のイエロー染料が用いられている（例えば、特許文献１参照）。しかし、そのオゾン褪色バランスのレベルは不十分であり、色再現性も未だ十分でなく、また、特に耐光性の改良が望まれている。
【特許文献１】特開２００３−２３８８５０号公報
【発明の開示】
【発明が解決しようとする課題】
【０００５】
本発明は、色再現性が良く、色濃度が高く、耐光性、耐オゾン性に優れたインク組成物及びインクジェット記録用インクを提供することを課題とする。また本発明は、色相が良好で、耐光性、耐オゾン性に優れた画像を得ることのできるインクジェット記録方法を提供することを課題とする。
【課題を解決するための手段】
【０００６】
本発明の課題は、下記の手段によって解決される。
（１）λmaxが３９０〜４７０ｎｍにあるイエロー染料を少なくとも２種以上含むインク組成物であって、該イエロー染料のうちλmaxが最も長波側にある染料と最も短波側にある染料とのλmaxの差が１２ｎｍ以上であることを特徴とするインク組成物。
（２）前記イエロー染料の混合物のλmaxでの吸光度Ｉ（λmax）とλmax＋７０ｎｍでの吸光度Ｉ（λmax＋７０ｎｍ）との吸光度比Ｉ（λmax＋７０ｎｍ）／Ｉ（λmax）が、０．２０以下であることを特徴とする上記（１）に記載のインク組成物。
（３）前記イエロー染料のうちλmaxが最も長波側の染料の下記褪色速度定数が、１×１０-3［hour-1］以下であることを特徴とする上記（１）または（２）に記載のインク組成物。
ここで、染料の褪色速度定数とは、該染料を１種単独に含むインクを反射型メディアに印画した後に、印画された画像の反射濃度をステータスＡフィルターを通して測定し、イエロー領域における反射濃度（ＤB）が０．９〜１．１０である１点を初期濃度として規定して、前記画像に８５０００Ｌｕｘのキセノン光を照射して強制的に褪色させ、前記初期濃度を規定した１点の反射濃度が初期濃度の７０％となるまでの時間ｔから求めた値（（−ｌｎ０．７）／ｔ）である。
（４）前記イエロー染料のうちいずれか２種の染料において、λmaxが長波側の染料の褪色速度定数が短波側の染料の褪色速度定数より小さいことを特徴とする上記（１）〜（３）のいずれかに記載のインク組成物。
（５）前記イエロー染料のうちいずれか２種の染料において、λmaxが長波側の染料の酸化電位が短波側の染料の酸化電位より高いことを特徴とする上記（１）〜（３）のいずれかに記載のインク組成物。
（６）前記イエロー染料のうちいずれか２種の染料において、λmaxが長波側の染料の下記Δλmax(sol)が短波側の染料のΔλmax(sol)より大きいことを特徴とする上記（１）〜（３）のいずれかに記載のインクジェット記録用インク。
ここで、Δλmax(sol)は、Ｎ，Ｎ−ジメチルホルムアミド溶液中での染料のλmaxと、水溶液中での該染料のλmaxとの差（Δλmax(sol)＝λmax(Ｎ，Ｎ−ジメチルホルムアミド溶液)−λmax(水溶液)）である。
（７）前記イエロー染料のうちいずれか２種の染料において、λmaxが長波側の染料が下記一般式（１）で表されることを特徴とする上記（１）〜（６）のいずれかに記載のインク組成物。
【０００７】
【化３】
2005264085.tif 000002
【０００８】
一般式（１）中、Ｒ10は、水素原子、アルキル基、シクロアルキル基、アラルキル基、アルコキシ基またはアリール基を表す。これらの基は、いずれも置換基を有していてもよい。Ｒ11およびＲ12は、それぞれ独立して、水素原子、ハロゲン原子、ヒドロキシル基、アルコキシ基、アミノ基、スルホ基または複素環基を表す。Ｈｅｔは芳香族複素環基を表す。
【０００９】
（８）前記イエロー染料のうちいずれか２種の染料において、短波側の染料が下記一般式（２）で表されることを特徴とする上記（１）〜（７）のいずれかに記載のインク組成物。
【００１０】
【化４】
2005264085.tif 000003
【００１１】
一般式（２）中、Ｒ4は１価の基を表し、Ｒ5は−ＯＲ6または−ＮＨＲ7を表し、Ｒ6およびＲ7は水素原子または１価の基を表し、Ｘ3は２価の連結基を表し、ｎ３は０または１であり、Ａｒ3はアリーレン基または２価の複素環基を表し、Ａｒ4はアルキル基、アリール基または１価のトリアジン環基を表す。
【００１２】
（９）上記（１）〜（８）のいずれかに記載のインク組成物を含むことを特徴とするインクジェット記録用インク。
（１０）上記（９）に記載のインクジェット記録用インクを用いることを特徴とするインクジェット記録方法。
【発明の効果】
【００１３】
本発明によれば、色再現性が良く、色濃度が高く、耐光性、耐オゾン性に優れたインク組成物を提供することができる。本発明のインク組成物を用いることにより、良好な色相を有し、耐候性、特に耐光性が高い画像を得ることができる。
【発明を実施するための最良の形態】
【００１４】
以下、本発明について詳細に説明する。
本発明のインク組成物では、吸収極大波長λmaxが３９０〜４７０ｎｍにあるイエロー染料を少なくとも２種以上用い、該イエロー染料のうちλmaxが最も長波側にある染料と最も短波側にある染料とのλmaxの差を１２ｎｍ以上とする。このように、λmaxに差のある２種以上のイエロー染料を用いることにより、イエローインクとして色濃度の良好なものを得ることができる。
イエロー染料のλmaxは、好ましくは３９０〜４５０ｎｍである。また、λmaxが最も長波側にある染料と最も短波側にある染料とのλmaxの差は、好ましくは１５ｎｍ以上、より好ましくは２０ｎｍ以上１００ｎｍ以下である。
【００１５】
上記２種以上のイエロー染料は、混合物の状態で、λmaxでの吸光度Ｉ（λmax）とλmax＋７０ｎｍでの吸光度Ｉ（λmax＋７０ｎｍ）との吸光度比Ｉ（λmax＋７０ｎｍ）／Ｉ（λmax）が、０．２０以下であることが好ましい。該吸光度比が０．２０以下であることは吸収スペクトルにおいて長波側の裾切れが良いことになり、そのような染料はより良好な色相を呈するので好ましい。吸光度比Ｉ（λmax＋７０ｎｍ）／Ｉ（λmax）は、０．１５以下がより好ましく、０．１０以下がさらに好ましい。
なお、上記吸収極大波長λmaxおよび吸光度Ｉ（λ）は、溶媒（水又は酢酸エチル）中での値である。
【００１６】
本発明のインク組成物では、λmaxが最も長波側の染料の褪色速度定数が、１×１０-3［hour-1］以下であることが好ましい。ここで、染料の褪色速度定数とは、該染料を１種単独に含むインクを反射型メディアに印画した後に、印画された画像の反射濃度をステータスＡフィルターを通して測定し、イエロー領域における反射濃度（ＤB）が０．９〜１．１０である１点を初期濃度として規定して、前記画像に８５０００Ｌｕｘのキセノン光を照射して強制的に褪色させ、前記初期濃度を規定した１点の反射濃度が初期濃度の７０％となるまでの時間ｔから求めた値（（−ｌｎ０．７）／ｔ）である。この値が小さいほど、耐光性に優れた染料となる。
λmaxが長波側のイエロー染料は短波側に比べて耐光性が弱い傾向があるが、λmaxが最も長波側の染料の１×１０-3［hour-1］以下とすることで、イエローインク全体の耐光性を向上させることができる。より好ましくは５×１０-4［hour-1］以下である。
【００１７】
さらに、イエロー染料の場合、人間の目にとってその視感度から、λmaxが長波側の染料が呈する色の方がより強く褪色を感じるので、本発明のインク組成物では、褪色による色相変化を小さくし、色再現性を良好に保つためには、イエロー染料のうちいずれか２種の染料において、下記１）〜３）の条件の少なくとも１つを満足することが好ましい。
１）λmaxが長波側の染料の褪色速度定数が短波側の染料の褪色速度定数より小さい。
２）λmaxが長波側の染料の酸価電位が短波側の染料の酸価電位より高い。
３）λmaxが長波側の染料のΔλmax(sol)が短波側の染料のΔλmax(sol)より大きい。
なお、イエロー染料を３種以上含む場合には、λmaxがより長波側の染料がより短波側の染料に対して上記１）〜３）の条件を満足することが特に好ましい。
【００１８】
酸化電位（Ｅox）の値は、当業者が容易に測定することができる。その測定方法に関しては、例えばＰ．Ｄｅｌａｈａｙ著“Ｎｅｗ  Ｉｎｓｔｒｕｍｅｎｔａｌ  Ｍｅｔｈｏｄｓ  ｉｎ  Ｅｌｅｃｔｒｏｃｈｅｍｉｓｔｒｙ”（１９５４年、Ｉｎｔｅｒｓｃｉｅｎｃｅ  Ｐｕｂｌｉｓｈｅｒｓ社刊）やＡ．Ｊ．Ｂａｒｄ他著“Ｅｌｅｃｔｒｏｃｈｅｍｉｃａｌ  Ｍｅｔｈｏｄｓ”（１９８０年、ＪｏｈｎＷｉｌｅｙ＆Ｓｏｎｓ社刊）、藤嶋昭他著“電気化学測定法”（１９８４年  技報堂出版社刊）等に記載されている。
【００１９】
具体的には、過塩素酸ナトリウムや過塩素酸テトラプロピルアンモニウムといった支持電解質を含むジメチルホルムアミドやアセトニトリルのような溶媒中に、被験試料を１×１０-2〜１×１０-6モル／リットル溶解して、サイクリックボルタンメトリーを用いてＳＣＥ（飽和カロメル電極）に対する値として測定できる。この値は、液間電位差や試料溶液の液抵抗などの影響で、数１０ミルボルト程度偏位することがあるが、標準試料（例えばハイドロキノン）を入れて電位の再現性を保証することができる。なお、電位を一義的に規定するため、本発明では、０．１ｍｏｌｄｍ-3の過塩素酸テトラプロピルアンモニウムを支持電解質として含むジメチルホルムアミド中（染料の濃度は０．００１ｍｏｌｄｍ-3）で測定した値（ｖｓ  ＳＣＥ）を染料の酸化電位とする。
【００２０】
Ｅoxの値は、試料から電極への電子の移りやすさを表わし、その値が大きい（酸化電位が貴である）ほど試料から電極への電子の移りにくい、言い換えれば、酸化されにくいことを表す。化合物の構造との関連では、電子求引性基を導入することにより酸化電位はより貴となり、電子供与性基を導入することにより酸化電位はより卑となる。本発明では、求電子剤であるオゾンとの反応性を下げるために、イエロー染料骨格に電子求引性基を導入して酸化電位をより貴とすることが望ましい。
【００２１】
染料の酸化電位は、堅牢性、特にオゾンガスに対する堅牢性を向上させる点から、１．０Ｖ（ｖｓ  ＳＣＥ）よりも貴であることが好ましく、１．１Ｖ（ｖｓ  ＳＣＥ）よりも貴であることがさらに好ましく、１．２Ｖ（ｖｓ  ＳＣＥ）よりも貴であることが特に好ましい。染料の種類としては、上記物性要件を満たすアゾ染料が特に好ましい。
【００２２】
また、前記Δλmax(sol)は、Ｎ，Ｎ−ジメチルホルムアミド溶液中での染料のλmaxと、水溶液中での該染料のλmaxとの差（Δλmax(sol)＝λmax(Ｎ，Ｎ−ジメチルホルムアミド溶液)−λmax(水溶液)）である。本発明では、各溶液中で、染料濃度を３×１０-2ｇ／ｌとして測定したλmaxから得られた値をΔλmax(sol)とする。
【００２３】
このような吸収特性および酸価電位を有するイエロー染料としては、下記一般式（１）または一般式（２）で表される染料が好ましい。特に、λmaxが長波側の染料としては下記一般式（１）で表される染料、λmaxが短波側の染料としては下記一般式（２）で表される染料が好ましい。
【００２４】
【化５】
2005264085.tif 000004
【００２５】
一般式（１）中、Ｒ10は、水素原子、アルキル基、シクロアルキル基、アラルキル基、アルコキシ基またはアリール基を表す。これらの基は、いずれも置換基を有していてもよい。Ｒ11およびＲ12は、それぞれ独立して、水素原子、ハロゲン原子、ヒドロキシル基、アルコキシ基、アミノ基、スルホ基または複素環基を表す。Ｈｅｔは芳香族複素環基を表す。
【００２６】
【化６】
2005264085.tif 000005
【００２７】
一般式（２）中、Ｒ4は１価の基を表し、Ｒ5は−ＯＲ6または−ＮＨＲ7を表し、Ｒ6およびＲ7は水素原子または１価の基を表し、Ｘ3は２価の連結基を表し、ｎ３は０または１であり、Ａｒ3はアリーレン基または２価の複素環基を表し、Ａｒ4はアルキル基、アリール基または１価のトリアジン環基を表す。
【００２８】
以下、まず一般式（１）について詳細に説明する。
Ｒ10で表されるアルキル基は、置換もしくは無置換のアルキル基が含まれる。置換または無置換のアルキル基は、炭素原子数が１〜３０のアルキル基が好ましい。置換基の例としては、後述の置換基群Ａに挙げるものが好ましい。なかでも、ヒドロキシル基、アルコキシ基、シアノ基、およびハロゲン原子、スルホ基(塩の形でもよい)およびカルボキシル基(塩の形でもよい)が好ましい。アルキル基の例として、メチル、エチル、ブチル、ｔ−ブチル、ｎ−オクチル、エイコシル、２−クロロエチル、ヒドロキシエチル、シアノエチルおよび４−スルホブチルが挙げられる。
【００２９】
Ｒ10で表されるシクロアルキル基は、置換もしくは無置換のシクロアルキル基が含まれる。置換基または無置換のシクロアルキル基は、炭素原子数が５〜３０のシクロアルキル基が好ましい。置換基の例としては、後述の置換基群Ａに挙げるものが好ましい。シクロアルキル基の例として、シクロヘキシル、シクロペンチル、４−ｎ−ドデシルシクロヘキシルが挙げられる。
【００３０】
Ｒ10で表されるアラルキル基は、置換もしくは無置換のアラルキル基が含まれる。置換もしくは無置換のアラルキル基としては、炭素原子数が７〜３０のアラルキル基が好ましい。置換基の例としては、後述の置換基群Ａに挙げるものが好ましい。アラルキル基の例として、ベンジルおよび２−フェネチルが挙げられる。
【００３１】
Ｒ10で表されるアルコキシ基は、置換もしくは無置換のアルコキシ基が含まれる。置換もしくは無置換のアルコキシ基としては、炭素原子数が１〜３０のアルコキシ基が好ましい。置換基の例としては、後述の置換基群Ａに挙げるものが好ましい。アルコキシ基の例として、メトキシ、エトキシ、イソプロポキシ、ｎ−オクチルオキシ、メトキシエトキシ、ヒドロキシエトキシおよび３−カルボキシプロポキシが挙げられる。
【００３２】
Ｒ10で表されるアリール基は、置換もしくは無置換のアリール基が含まれる。置換もしくは無置換のアリール基としては、炭素数６〜３０のアリール基が好ましい。置換基の例としては、下記置換基群Ａに挙げるものが好ましい。
【００３３】
（置環基群Ａ）
ハロゲン原子、アルキル基、シクロアルキル基、アラルキル基、アルケニル基、アルキニル基、アリール基、複素環基、シアノ基、ヒドロキシル基、ニトロ基、カルボキシル基、アルコキシ基、アリールオキシ基、シリルオキシ基、複素環オキシ基、アシルオキシ基、カルバモイルオキシ基、アルコキシカルボニルオキシ基、アリールオキシカルボニルオキシ基、アミノ基（アニリノ基を含む）、アシルアミノ基、アミノカルボニルアミノ基、アルコキシカルボニルアミノ基、アリールオキシカルボニルアミノ基、スルファモイルアミノ基、アルキルまたはアリールスルホニルアミノ基、メルカプト基、アルキルチオ基、アリールチオ基、複素環チオ基、スルファモイル基、スルホ基、アルキルまたはアリールスルフィニル基、アルキルまたはアリールスルホニル基、アシル基、アリールオキシカルボニル基、アルコキシカルボニル基、カルバモイル基、イミド基、ホスフィノ基、ホスフィニル基、ホスフィニルオキシ基、ホスフィニルアミノ基、シリル基。
【００３４】
上記置換基群Ａに挙げられる各基について詳しく説明する。
ハロゲン原子は、塩素原子、臭素原子、ヨウ素原子等を表す。
アルキル基、アルコキシ基、シクロアルキル基およびアラルキル基は、前述のＲ10の場合と同義である。
アルケニル基は、直鎖、分岐、環状の置換または無置換のアルケニル基を表す。それらは、炭素数２〜３０の置換または無置換のアルケニル基、例えば、ビニル、アリル、プレニル、ゲラニル、オレイル、２−シクロペンテン−１−イル、２−シクロヘキセン−１−イルが挙げられる。
アルキニル基は、炭素数２〜３０の置換または無置換のアルキニル基が好ましく、例えば、エチニル、プロパルギルが挙げられる。
アリール基は、炭素数６〜３０の置換または無置換のアリール基、例えばフェニル、ｐ−トリル、ナフチル、ｍ−クロロフェニル、ｏ−ヘキサデカノイルアミノフェニルが挙げられる。
複素環基は、５または６員の置換または無置換の、芳香族または非芳香族の複素環化合物から水素原子を取り除いた基である。好ましくは、炭素数３〜３０の５または６員の芳香族の複素環基である。例えば、２−フリル、２−チエニル、２−ピリミジニル、２−ベンゾチアゾリルが挙げられる。
【００３５】
アリールオキシ基は、炭素数６〜３０の置換または無置換のアリールオキシ基、例えば、フェノキシ、２−メチルフェノキシ、４−ｔ−ブチルフェノキシ、３−ニトロフェノキシ、２−テトラデカノイルアミノフェノキシが挙げられる。
シリルオキシ基は、炭素数３〜２０のシリルオキシ基、例えば、トリメチルシリルオキシ、ｔ−ブチルジメチルシリルオキシが挙げられる。
複素環オキシ基は、炭素数２〜３０の置換または無置換の複素環オキシ基、例えば、１−フェニルテトラゾール−５−オキシ、２−テトラヒドロピラニルオキシが挙げられる。
アシルオキシ基は、ホルミルオキシ基、炭素数２〜３０の置換または無置換のアルキルカルボニルオキシ基、炭素数６〜３０の置換または無置換のアリールカルボニルオキシ基、例えば、ホルミルオキシ、アセチルオキシ、ピバロイルオキシ、ステアロイルオキシ、ベンゾイルオキシ、ｐ−メトキシフェニルカルボニルオキシが挙げられる。
カルバモイルオキシ基は、炭素数１〜３０の置換または無置換のカルバモイルオキシ基、例えば、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシが挙げられる。
アルコキシカルボニルオキシ基は、炭素数２〜３０の置換または無置換アルコキシカルボニルオキシ基、例えば、メトキシカルボニルオキシ、エトキシカルボニルオキシ、ｔ−ブトキシカルボニルオキシ、ｎ−オクチルカルボニルオキシが挙げられる。
アリールオキシカルボニルオキシ基は、炭素数７〜３０の置換または無置換のアリールオキシカルボニルオキシ基、例えば、フェノキシカルボニルオキシ、ｐ−メトキシフェノキシカルボニルオキシ、ｐ−ｎ−ヘキサデシルオキシフェノキシカルボニルオキシが挙げられる。
【００３６】
アミノ基は、炭素数１〜３０の置換または無置換のアルキルアミノ基、炭素数６〜３０の置換または無置換のアニリノ基、例えば、アミノ、メチルアミノ、ジメチルアミノ、アニリノ、Ｎ−メチル−アニリノ、ジフェニルアミノが挙げられる。
アシルアミノ基は、ホルミルアミノ基、炭素数１〜３０の置換または無置換のアルキルカルボニルアミノ基、炭素数６〜３０の置換または無置換のアリールカルボニルアミノ基、例えば、ホルミルアミノ、アセチルアミノ、ピバロイルアミノ、ラウロイルアミノ、ベンゾイルアミノ、３，４，５−トリ−ｎ−オクチルオキシフェニルカルボニルアミノが挙げられる。
アミノカルボニルアミノ基は、炭素数１〜３０の置換または無置換のアミノカルボニルアミノ基、例えば、カルバモイルアミノ、Ｎ，Ｎ−ジメチルアミノカルボニルアミノ、Ｎ，Ｎ−ジエチルアミノカルボニルアミノ、モルホリノカルボニルアミノが挙げられる。
アルコキシカルボニルアミノ基は、炭素数２〜３０の置換または無置換アルコキシカルボニルアミノ基、例えば、メトキシカルボニルアミノ、エトキシカルボニルアミノ、ｔ−ブトキシカルボニルアミノ、ｎ−オクタデシルオキシカルボニルアミノ、Ｎ−メチルーメトキシカルボニルアミノが挙げられる。
アリールオキシカルボニルアミノ基は、炭素数７〜３０の置換または無置換のアリールオキシカルボニルアミノ基、例えば、フェノキシカルボニルアミノ、p-クロロフェノキシカルボニルアミノ、ｍ−ｎ−オクチルオキシフェノキシカルボニルアミノが挙げられる。
スルファモイルアミノ基は、炭素数０〜３０の置換または無置換のスルファモイルアミノ基、例えば、スルファモイルアミノ、Ｎ，Ｎ−ジメチルアミノスルホニルアミノ、Ｎ−ｎ−オクチルアミノスルホニルアミノが挙げられる。
アルキルまたはアリールスルホニルアミノ基は、炭素数１〜３０の置換または無置換のアルキルスルホニルアミノ基、炭素数６から３０の置換または無置換のアリールスルホニルアミノ基、例えば、メチルスルホニルアミノ、ブチルスルホニルアミノ、フェニルスルホニルアミノ、２，３，５−トリクロロフェニルスルホニルアミノ、ｐ−メチルフェニルスルホニルアミノが挙げられる。
【００３７】
アルキルチオ基は、炭素数１〜３０の置換または無置換のアルキルチオ基、例えば、メチルチオ、エチルチオ、ｎ−ヘキサデシルチオが挙げられる。
アリールチオ基は、炭素数６〜３０の置換または無置換のアリールチオ基、例えば、フェニルチオ、ｐ−クロロフェニルチオ、ｍ−メトキシフェニルチオが挙げられる。
複素環チオ基は、炭素数２〜３０の置換または無置換のヘテロ環チオ基、例えば、２−ベンゾチアゾリルチオ、１−フェニルテトラゾール−５−イルチオが挙げられる。
【００３８】
スルファモイル基は、炭素数０〜３０の置換または無置換のスルファモイル基、例えば、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ’−フェニルカルバモイル）スルファモイル）が挙げられる。
アルキルまたはアリールスルフィニル基は、炭素数１〜３０の置換または無置換のアルキルスルフィニル基、６〜３０の置換または無置換のアリールスルフィニル基、例えば、メチルスルフィニル、エチルスルフィニル、フェニルスルフィニル、ｐ−メチルフェニルスルフィニルが挙げられる。
アルキルまたはアリールスルホニル基は、炭素数１〜３０の置換または無置換のアルキルスルホニル基、６から３０の置換または無置換のアリールスルホニル基、例えば、メチルスルホニル、エチルスルホニル、フェニルスルホニル、ｐ−メチルフェニルスルホニルが挙げられる。
【００３９】
アシル基は、ホルミル基、炭素数２〜３０の置換または無置換のアルキルカルボニル基、炭素数７〜３０の置換〜無置換のアリールカルボニル基、炭素数４〜３０の置換または無置換の炭素原子でカルボニル基と結合している複素環カルボニル基、例えば、アセチル、ピバロイル、２−クロロアセチル、ステアロイル、ベンゾイル、ｐ−ｎ−オクチルオキシフェニルカルボニル、２−ピリジルカルボニル、２―フリルカルボニルが挙げられる。
【００４０】
アリールオキシカルボニル基は、炭素数７〜３０の置換または無置換のアリールオキシカルボニル基、例えば、フェノキシカルボニル、ｏ−クロロフェノキシカルボニル、ｍ−ニトロフェノキシカルボニル、ｐ−ｔ−ブチルフェノキシカルボニルが挙げられる。
アルコキシカルボニル基は、炭素数２〜３０の置換または無置換アルコキシカルボニル基、例えば、メトキシカルボニル、エトキシカルボニル、ｔ−ブトキシカルボニル、ｎ−オクタデシルオキシカルボニルが挙げられる。
カルバモイル基は、炭素数１〜３０の置換または無置換のカルバモイル基、例えば、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイルが挙げられる。
【００４１】
ホスフィノ基は、炭素数２〜３０の置換または無置換のホスフィノ基、例えば、ジメチルホスフィノ、ジフェニルホスフィノ、メチルフェノキシホスフィノが挙げられる。
ホスフィニル基は、炭素数２〜３０の置換または無置換のホスフィニル基、例えば、ホスフィニル、ジオクチルオキシホスフィニル、ジエトキシホスフィニルが挙げられる。
ホスフィニルオキシ基は、炭素数２〜３０の置換または無置換のホスフィニルオキシ基、例えば、ジフェノキシホスフィニルオキシ、ジオクチルオキシホスフィニルオキシが挙げられる。
ホスフィニルアミノ基は、炭素数２〜３０の置換または無置換のホスフィニルアミノ基、例えば、ジメトキシホスフィニルアミノ、ジメチルアミノホスフィニルアミノが挙げられる。
シリル基は、炭素数３〜３０の置換もしくは無置換のシリル基、例えば、トリメチルシリル、ｔ−ブチルジメチルシリル、フェニルジメチルシリルが挙げられる。
【００４２】
上記置環基群Ａで挙げられる置換基の中で、水素原子を有するものは、これを取り去り更に上記置環基群Ａで挙げられる基で置換されていてもよい。そのような置換基の例としては、アルキルカルボニルアミノスルホニル基、アリールカルボニルアミノスルホニル基、アルキルスルホニルアミノカルボニル基、アリールスルホニルアミノカルボニル基が挙げられる。より具体的には、メチルスルホニルアミノカルボニル、ｐ−メチルフェニルスルホニルアミノカルボニル、アセチルアミノスルホニル、ベンゾイルアミノスルホニル基が挙げられる。
【００４３】
一般式（１）中、Ｒ11およびＲ12で表されるハロゲン原子、アルコキシ基、アミノ基は前述の置環基群Ａで挙げられる基と同義である。
Ｒ11およびＲ12で表される複素環基は、５員または６員環のものが好ましく、それらは更に縮環していてもよい。また、芳香族複素環であっても非芳香族複素環であってもよい。例えば、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリン、モルホリン、ピペリジンなどが挙げられる。なかでも、芳香族複素環基が好ましく、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールが好ましく、チアジアゾールが最も好ましい。それらは置換基を有していてもよく、置換基の例としては、前述の置換基群Ａで挙げるものが好ましい。
【００４４】
一般式（１）中、特に、Ｒ10はアルキル基が好ましく、Ｒ11はアミノ基またはヒドロキシル基が好ましく、Ｒ12はアミノ基および複素環基が好ましい。
【００４５】
一般式（１）中、Ｈｅｔは芳香族複素環基を表し、その好ましい例として、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールが挙げられ、ピラゾールが特に好ましい。それらは置換基を有していてもよく、置換基の例としては、前述の置換基群Ａで挙げたもの、およびアリールアゾ基または複素環アゾ基を挙げることができる。
ここで、アリールアゾ基は、前述の置換基群Ａで挙げたアリール基、好ましくは炭素数６〜３０の置換または無置換のアリール基を有するアゾ基が挙げられる。複素環アゾ基は、前述の置換基群Ａで挙げた複素環基、好ましくは炭素数３〜３０の５または６員の芳香族の複素環基を有するアゾ基が挙げられる。
【００４６】
Ｈｅｔとしては、特に下記一般式（ａ）で表される基が特に好ましい。
【００４７】
【化７】
2005264085.tif 000006
【００４８】
一般式（ａ）中、ＸおよびＹの一方は、窒素原子であり、他方は−Ｃ（Ｒ13）＝である。Ｘが−Ｃ（Ｒ13）、Ｙが窒素原子であることがさらに好ましい。Ｒ13は、ハロゲン原子、アルキル基、アルキルチオ基、アルキルスルホニル基、アルキルスルフィニル基、アルコキシカルボニル、カルバモイル基、アルコキシ基、アリール基、アリールチオ基、アリールスルホニル基、アリールスルフィニル基、アリールオキシ基またはアシルアミノ基を表し、各基は前述の置環基群Ａで挙げるものが好ましい。Ｒ13としては、水素原子、アルキル基、アルキルチオ基、アリール基が好ましい。
【００４９】
本発明では、一般式（１）で表される染料が、下記一般式（１−１）で表される染料であるのも好ましい。
【００５０】
【化８】
2005264085.tif 000007
【００５１】
一般式（１−１）中、Ｒ21およびＲ22は、それぞれ独立して、水素原子、アルキル基、シクロアルキル基、アラルキル基、アルコキシ基またはアリール基を表す。Ｒ23は水素原子、ハロゲン原子、ヒドロキシル基、アルコキシ基、アミノ基、スルホ基または複素環基を表す。Ｈｅｔは芳香族複素環基を表す。
各基の好ましい基、有してもよい置換基などは、Ｒ21およびＲ22については前記一般式（１）のＲ10と、Ｒ23については前記一般式（１）のＲ11またはＲ12と、Ｈｅｔについては前記一般式（１）のＨｅｔと同義である。
【００５２】
以下に、前記一般式（１）で表される染料の具体例を示すが、本発明に用いられる染料は、下記の例に限定されるものではない。なお、具体例中、Ｍｅはメチルを、ＥｔはエチルをＰｈはフェニルを、それぞれ意味する。
【００５３】
【化９】
2005264085.tif 000008
【００５４】
【化１０】
2005264085.tif 000009
【００５５】
【化１１】
2005264085.tif 000010
【００５６】
【化１２】
2005264085.tif 000011
【００５７】
【化１３】
2005264085.tif 000012
【００５８】
【化１４】
2005264085.tif 000013
【００５９】
【化１５】
2005264085.tif 000014
【００６０】
【化１６】
2005264085.tif 000015
【００６１】
【化１７】
2005264085.tif 000016
【００６２】
【化１８】
2005264085.tif 000017
【００６３】
【化１９】
2005264085.tif 000018
【００６４】
【化２０】
2005264085.tif 000019
【００６５】
【化２１】
2005264085.tif 000020
【００６６】
前記一般式（１）で表される染料の合成は、公知の方法により行うことができる。例えば、特開２００３−２７７６６１号、同２００３−２７７６６２号公報に記載の方法で合成可能である。
【００６７】
次に、一般式（２）について詳細に説明する。
一般式（２）中、Ｒ4で表される１価の基は、前述の置換基群Ａで挙げるものが好ましい。より好ましくは、アルキル基、シクロアルキル基、アラルキル基、アルコキシ基、アリール基、アミノ基、カルボキシル基(塩でもよい)、カルバモイル基が好ましく、アルキル基（好ましくは、炭素数１〜５の低級アルキル基、例えばメチル、エチル、ブチル、ｔ−ブチル）が最も好ましい。
【００６８】
Ｒ5は−ＯＲ6または−ＮＨＲ7を表し、Ｒ6およびＲ7は水素原子または１価の基を表す。Ｒ6およびＲ7が表す１価の基は、前述の置換基群Ａと同義である。
Ｘ3は２価の連結基を表し、アルキレン基（例、メチレン、エチレン、プロピレン、ブチレン、ペンチレン）、アルケニレン基（例、エテニレン、プロペニレン）、アルキニレン基（例、エチニレン、プロピニレン）、アリーレン基（例、フェニレン、ナフチレン）、二価の複素環基（例、６−クロロ−１，３，５−トリアジン−２，４−ジイル基、ピリミジン−２，４−ジイル基、キノキサリン−２，３−ジイル基）、−Ｏ−、−ＣＯ−、−ＮＲ−（Ｒは水素原子、アルキル基またはアリール基）、−Ｓ−、−ＳＯ2−、−ＳＯ−またはこれらの組み合わせであることが好ましい。
アルキレン基、アルケニレン基、アルキニレン基、アリーレン基、二価の複素環基、Ｒで表されるアルキル基またはアリール基は、置換基を有していてもよい。置換基の例としては、前述の置換基群Ａの基が挙げられる。また、Ｒで表されるアルキル基およびアリール基は、前述の置換基群Ａのアルキル基およびアリール基と同義である。
Ｘ3が表す２価の連結基としては、炭素数１０以下のアルキレン基、炭素数１０以下のアルケニレン基、炭素数１０以下のアルキニレン基、炭素数６以上１０以下のアリーレン基、二価の複素環基、−Ｏ−、−Ｓ−またはこれらの組み合わせであることがさらに好ましい。
２価の連結基の総炭素数は０乃至５０であることが好ましく、０乃至３０であることがより好ましく、０乃至１０であることが最も好ましい。
【００６９】
ｎ３は０または１であり、好ましくは１である。
【００７０】
Ａｒ3が表すアリーレン基としては、例えば、炭素数６から３０のアリーレン基が挙げられ、好ましくはフェニレン基またはナフタレン基である。これらの基は更に置換基を有してもよく、置換基としては前述の置換基群Ａで挙げたものが好ましい。
Ａｒ3が表す２価の複素環基としては、例えば、ピリジン、ピラジン、ピリミジン、ピラゾール、チアゾール、ベンゾチアゾール、チアジアゾールが挙げられ、好ましくはチアジアゾールである。これらの基は更に置換基を有してもよく、置換基としては前述の置換基群Ａで挙げたもの好ましい。
【００７１】
Ａｒ4が表すアルキル基、アリール基としては、前述の置換基群Ａで挙げるものが好ましい。Ａｒ4としては、１価のトリアジン環基が好ましい。
【００７２】
以下に、前記一般式（２）で表される染料の具体例を示すが、本発明に用いられる染料は、下記の例に限定されるものではない。
【００７３】
【化２２】
2005264085.tif 000021
【００７４】
【化２３】
2005264085.tif 000022
【００７５】
前記一般式（２）で表される染料の合成は、公知の方法により行うことができる。例えば、特開２００３−２７７６６１号、同２００３−２７７６６２号公報に記載の方法で合成可能である。
【００７６】
本発明のインク組成物は、媒体を含有させるなどして各種インクとすることができるが、媒体として溶媒を用いた場合には特にインクジェット記録用インクとして好適である。
本発明のインクジェット記録用インクは、媒体として、親油性媒体や水性媒体を用いて、それらの中に、染料を溶解および／または分散させることによって作製することができる。好ましくは、水性媒体を用いる場合である。
本発明のインクジェット記録用インクには、必要に応じてその他の添加剤を、本発明の効果を害しない範囲内において含有させてもよい。その他の添加剤としては、例えば、乾燥防止剤（湿潤剤）、褪色防止剤、乳化安定剤、浸透促進剤、紫外線吸収剤、防腐剤、防黴剤、ｐＨ調整剤、表面張力調整剤、消泡剤、粘度調整剤、分散剤、分散安定剤、防錆剤、キレート剤等の公知の添加剤（特開２００３−３０６６２３号公報に記載）が挙げられる。これらの各種添加剤は、水溶性インクの場合にはインク液に直接添加する。油溶性染料を分散物の形で用いる場合には、染料分散物の調製後分散物に添加するのが一般的であるが、調製時に油相又は水相に添加してもよい。
【００７７】
本発明で用いられる染料を水性媒体に分散させる場合は、特開平11-286637号、特開2001-240763号、特開2001-262039号、特開2001-247788号のように染料と油溶性ポリマーとを含有する着色微粒子を水性媒体に分散したり、特開2001-262018号、特開2001-240763号、特開2001-335734号、特開2002-80772号のように高沸点有機溶媒に溶解した本発明の染料を水性媒体中に分散することが好ましい。
本発明で用いられる染料を水性媒体に分散させる場合の具体的な方法、使用する油溶性ポリマー、高沸点有機溶剤、添加剤及びそれらの使用量は、前記特許文献に記載されたものを好ましく使用することができる。あるいは、染料を固体のまま微粒子状態に分散してもよい。分散時には、分散剤や界面活性剤を使用することができる。分散装置としては、簡単なスターラーやインペラー攪拌方式、インライン攪拌方式、ミル方式（例えば、コロイドミル、ボールミル、サンドミル、アトライター、ロールミル、アジテーターミル等）、超音波方式、高圧乳化分散方式（高圧ホモジナイザー；具体的な市販装置としてはゴーリンホモジナイザー、マイクロフルイダイザー、ＤｅＢＥＥ２０００等）を使用することができる。
インクジェット記録用インクの調製方法については、先述の特許文献以外にも特開平５−１４８４３６号、同５−２９５３１２号、同７−９７５４１号、同７−８２５１５号、同７−１１８５８４号、特開平１１−２８６６３７号、特開２００１−２７１００３号の各公報に詳細が記載されていて、本発明のインクジェット記録用インクの調製にも利用できる。
【００７８】
前記水性媒体は、水を主成分とし、所望により、水混和性有機溶剤を添加した混合物を用いることができる。前記水混和性有機溶剤の例には、アルコール（例えば、メタノール、エタノール、プロパノール、イソプロパノール、ブタノール、イソブタノール、ｓｅｃ−ブタノール、ｔ−ブタノール、ペンタノール、ヘキサノール、シクロヘキサノール、ベンジルアルコール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール）、グリコール誘導体（例えば、エチレングリコールモノメチルエーテル、エチレングリコールモノエチルエーテル、エチレングリコールモノブチルエーテル、ジエチレングルコールモノメチルエーテル、ジエチレングリコールモノブチルエーテル、プロピレングリコールモノメチルエーテル、プロピレングリコールモノブチルエーテル、ジプロピレングリコールモノメチルエーテル、トリエチレングリコールモノメチルエーテル、エチレングリコールジアセテート、エチレングリコールモノメチルエーテルアセテート、トリエチレングリコールモノメチルエーテル、トリエチレングリコールモノエチルエーテル、エチレングリコールモノフェニルエーテル）、アミン（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレントリアミン、トリエチレンテトラミン、ポリエチレンイミン、テトラメチルプロピレンジアミン）及びその他の極性溶媒（例えば、ホルムアミド、Ｎ，Ｎ−ジメチルホルムアミド、Ｎ，Ｎ−ジメチルアセトアミド、ジメチルスルホキシド、スルホラン、２−ピロリドン、Ｎ−メチル−２−ピロリドン、Ｎ−ビニル−２−ピロリドン、２−オキサゾリドン、１，３−ジメチル−２−イミダゾリジノン、アセトニトリル、アセトン）が含まれる。なお、前記水混和性有機溶剤は、二種類以上を併用してもよい。
【００７９】
本発明のインクジェット記録用インクにはインク１００質量部中に、前記イエロー染料を２種類以上の合計で０．１質量部以上２０質量部以下含有するのが好ましく、０．２質量部以上１０質量部以下含有するのがより好ましく、０．５〜９質量部含有するのがさらに好ましい。
また、本発明のインクジェット記録用インクには、前記イエロー染料以外に、他の染料を併用してもよい。他の染料を併用する場合にも、染料の含有量の合計が前記範囲となっているのが好ましい。
【００８０】
本発明に用いられるインクジェット記録用インクは、単色の画像形成のみならず、フルカラーの画像形成に用いることが好ましい。フルカラー画像を形成するために、マゼンタインク、シアンインク、及びイエローインクを用いることができ、また、色調を整えるために、更にブラックインクを用いてもよい。
【００８１】
これらのインクに用いることができるイエロー染料としては、例えばカップリング成分（以降カプラー成分とも称する）としてフェノール類、ナフトール類、アニリン類、ピラゾロンやピリドン等のような複素環類、開鎖型活性メチレン化合物類、などを有するアリールもしくはヘテリルアゾ染料；例えばカプラー成分として開鎖型活性メチレン化合物類などを有するアゾメチン染料；例えばベンジリデン染料やモノメチンオキソノール染料等のようなメチン染料；例えばナフトキノン染料、アントラキノン染料等のようなキノン系染料などがあり、これ以外の染料種としてはキノフタロン染料、ニトロ・ニトロソ染料、アクリジン染料、アクリジノン染料等から選択することができる。
【００８２】
マゼンタ染料としては、例えばカプラー成分としてフェノール類、ナフトール類、アニリン類などを有するアリールもしくはヘテリルアゾ染料；例えばカプラー成分としてピラゾロン類、ピラゾロトリアゾール類などを有するアゾメチン染料；例えばアリーリデン染料、スチリル染料、メロシアニン染料、シアニン染料、オキソノール染料などのようなメチン染料；ジフェニルメタン染料、トリフェニルメタン染料、キサンテン染料などのようなカルボニウム染料、例えばナフトキノン、アントラキノン、アントラピリドンなどのようなキノン染料、例えばジオキサジン染料等のような縮合多環染料等を挙げることができる。
【００８３】
シアン染料としては、例えばカプラー成分としてフェノール類、ナフトール類、アニリン類などを有するアリールもしくはヘテリルアゾ染料；例えばカプラー成分としてフェノール類、ナフトール類、ピロロトリアゾールのようなヘテロ環類などを有するアゾメチン染料；シアニン染料、オキソノール染料、メロシアニン染料などのようなポリメチン染料；ジフェニルメタン染料、トリフェニルメタン染料、キサンテン染料などのようなカルボニウム染料；フタロシアニン染料；アントラキノン染料；インジゴ・チオインジゴ染料などを挙げることができる。
【００８４】
黒染料としては、ジスアゾ、トリスアゾ、テトラアゾ染料のほか、カーボンブラックの分散体を挙げることができる。
【００８５】
本発明のインクジェット記録用インクは被記録材に記録される。被記録材としての公知の受像材料、即ち普通紙、樹脂コート紙、例えば特開平８−１６９１７２号公報、同８−２７６９３号公報、同２−２７６６７０号公報、同７−２７６７８９号公報、同９−３２３４７５号公報、特開昭６２−２３８７８３号公報、特開平１０−１５３９８９号公報、同１０−２１７４７３号公報、同１０−２３５９９５号公報、同１０−３３７９４７号公報、同１０−２１７５９７号公報、同１０−３３７９４７号公報等に記載されているインクジェット専用紙、フィルム、電子写真共用紙、布帛、ガラス、金属、陶磁器等が挙げられる。なお、本発明のインクジェット記録方法としては、特開２００３−３０６６２３号公報段落番号００９３〜０１０５の記載が適用できる。
【００８６】
画像を形成する際に、光沢性や耐水性を与えたり、耐候性を改善したりする目的から上記被記録材料にポリマーラテックス化合物を付与してもよい。ラテックス化合物を被記録材料に付与する時期については、着色剤を付与する前であっても、後であっても、また同時であってもよく、したがって添加する場所も、例えば受像紙中であっても、インク中であってもよく、あるいはポリマーラテックス単独の液状物として使用してもよい。具体的には、特開2002-166638号、特開2002-121440号、特開2002-154201号、特開2002-144696号、特開2002-080759号、特開2002-187342号、特開2002-172774号の各公報に記載された方法を好ましく用いることができる。
【００８７】
以下に、本発明で使用できる代表的な受像材料として、記録紙及び記録フィルムについて説明する。記録紙及び記録フィルムにおける支持体は、ＬＢＫＰ、ＮＢＫＰ等の化学パルプ、ＧＰ、ＰＧＷ、ＲＭＰ、ＴＭＰ、ＣＴＭＰ、ＣＭＰ、ＣＧＰ等の機械パルプ、ＤＩＰ等の古紙パルプ等からなり、必要に応じて従来公知の顔料、バインダー、サイズ剤、定着剤、カチオン剤、紙力増強剤等の添加剤を混合し、長網抄紙機、円網抄紙機等の各種装置で製造されたもの等が使用可能である。これらの支持体の他に合成紙、プラスチックフィルムシートのいずれであってもよく、支持体の厚みは１０〜２５０μｍ、坪量は１０〜２５０ｇ／ｍ2が望ましい。支持体には、そのままインク受容層及びバックコート層を設けてもよいし、デンプン、ポリビニルアルコール等でサイズプレスやアンカーコート層を設けた後、インク受容層及びバックコー卜層を設けてもよい。更に支持体には、マシンカレンダー、ＴＧカレンダー、ソフトカレンダー等のカレンダー装置により平坦化処理を行ってもよい。本発明では支持体としては、両面をポリオレフィン（例えば、ポリエチレン、ポリスチレン、ポリエチレンテレフタレート、ポリブテン及びそれらのコポリマー）でラミネートした紙及びプラスチックフィルムがより好ましく用いられる。ポリオレフィン中に、白色顔料（例えば、酸化チタン、酸化亜鉛）又は色味付け染料（例えば、コバルトブルー、群青、酸化ネオジウム）を添加することが好ましい。
【００８８】
支持体上に設けられるインク受容層には、顔料や水性バインダーが含有される。顔料としては、白色顔料が好ましく、白色顔料としては、炭酸カルシウム、カオリン、タルク、クレー、珪藻土、合成非晶質シリカ、珪酸アルミニウム、珪酸マグネシウム、珪酸カルシウム、水酸化アルミニウム、アルミナ、リトポン、ゼオライト、硫酸バリウム、硫酸カルシウム、二酸化チタン、硫化亜鉛、炭酸亜鉛等の白色無機顔料、スチレン系ピグメント、アクリル系ピグメント、尿素樹脂、メラミン樹脂等の有機顔料等が挙げられる。インク受容層に含有される白色顔料としては、多孔性無機顔料が好ましく、特に細孔面積が大きい合成非晶質シリカ等が好適である。合成非晶質シリカは、乾式製造法によって得られる無水珪酸及び湿式製造法によって得られる含水珪酸のいずれも使用可能であるが、特に含水珪酸を使用することが望ましい。
【００８９】
本発明のインクジェット記録方法は、インクジェットの記録方式に制限はなく、公知の方式、例えば静電誘引力を利用してインクを吐出させる電荷制御方式、ピエゾ素子の振動圧力を利用するドロップオンデマンド方式（圧力パルス方式）、電気信号を音響ビームに変えインクに照射して、放射圧を利用してインクを吐出させる音響インクジェット方式、及びインクを加熱して気泡を形成し、生じた圧力を利用するサーマルインクジェット方式等に用いられる。インクジェット記録方式には、フォトインクと称する濃度の低いインクを小さい体積で多数射出する方式、実質的に同じ色相で濃度の異なる複数のインクを用いて画質を改良する方式や無色透明のインクを用いる方式が含まれる。
【実施例】
【００９０】
以下、本発明を実施例によって説明するが、本発明はこれに限定されるものではない。
【００９１】
下記の成分に超純水（抵抗値１８ＭΩ以上）を加え１リッターとした後、３０〜４０℃で加熱しながら１時間撹拌した。その後、平均孔径０．２５μｍのミクロフィルターで減圧濾過してイエローインクY-101を調製した。
【００９２】
〔イエローインクY-101処方〕
（固形分）
イエロー染料（Y-1/Y-2/Y-3=10/20/20;質量比）               50g/l
プロキセル                                                 2g/l
尿素                                                      10g/l
（液体成分）
トリエチレングリコールモノブチルエーテル                 100g/l
グリセリン                                               100g/l
トリエチレングリコール                                   100g/l
２−ピロリドン                                            20g/l
トリエタノールアミン                                       2g/l
サーフィノール465(AirProducts & Chemical社)               10g/l
【００９３】
【化２４】
2005264085.tif 000023
【００９４】
Y-101と同様に、表１に示すイエロー染料を用いたY-102〜107のイエローインクも同様に作製した。イエロー染料の比率、量はY-101のイエロー濃度に合うよう調節した。
表１に示す各イエロー染料の速度定数（褪色速度定数）は、Y-101処方において各イエロー染料を単独に使用して作製したインクに対し、キセノン耐候性試験機（Xenon Weather-Ometer）「ATLAS Ci4000」（ＴＯＹＯ  ＳＥＩＫＩ製）を用いて測定した値である。また、Δλmaxは、λmaxが最も長波側の染料と短波側の染料とのλmaxの差である。
【００９５】
【表１】
2005264085.tif 000024
【００９６】
【化２５】
2005264085.tif 000025
【００９７】
【化２６】
2005264085.tif 000026
【００９８】
また、インクの比較タイプとしてエプソン（株）社製のPM-950Cのイエローインクカートリッジを使用した。
【００９９】
これらのインクをEPSON社製インクジェットプリンターPM-950Cのイエローインクのカートリッジに装填し、その他の色のインクはPM-950Cのインクを用いて、階段状に濃度が変化したイエローの単色画像パターンならびにグレーの画像パターンを印字させた。
受像シートは富士写真フイルム（株）製インクジェットペーパーフォト光沢紙「画彩」に画像を印刷し、画像品質ならびにインクの吐出性、画像保存性（耐候性）および画像にじみの評価を行った。
【０１００】
（評価実験）
１）吐出安定性については、カートリッジをプリンターにセットし全ノズルからのインクの突出を確認した後、Ａ４  ２０枚出力し、以下の基準で評価した。
Ａ：印刷開始から終了まで印字の乱れ無し、
Ｂ：印字の乱れのある出力が発生する。
Ｃ：印刷開始から終了まで印字の乱れあり。
この実験を、インク充填直後（吐出性Ａ）と、インクカートリッジを４０℃８０％ＲＨの条件下、２週間保存後（吐出性Ｂ）に行った。
【０１０１】
２）画像保存性については、印字サンプルを用いて、以下の評価を行った。
(i)光堅牢性は印字直後の画像濃度ＣｉをＸ−Ｒｉｔｅ３１０にて測定した後、アトラス社製ウェザーメーターを用い画像にキセノン光（８万５千ルックス）を１０日照射した後、再び画像濃度Ｃｆを測定し染料残存率Ｃｆ／Ｃｉ×１００を求め評価を行った。染料残像率について反射濃度が１，１．５，２の３点にて評価し、いずれの濃度でも染料残存率が７０％以上の場合をＡ、２点が７０％未満の場合をＢ、全ての濃度で７０％未満の場合をＣとした。
【０１０２】
(ii)熱堅牢性については、８０℃７０％ＲＨの条件下に１０日間、試料を保存する前後での濃度を、Ｘ−Ｒｉｔｅ３１０にて測定し染料残存率を求め評価した。染料残像率について反射濃度が１，１．５，２の３点にて評価し、いずれの濃度でも染料残存率が９０％以上の場合をＡ、２点が９０％未満の場合をＢ、全ての濃度で９０％未満の場合をＣとした。
【０１０３】
(iii)耐オゾン性については、前記画像を形成したフォト光沢紙を、オゾンガス濃度が０．５ｐｐｍに設定されたボックス内に７日間放置し、オゾンガス下放置前後の画像濃度を反射濃度計（Ｘ−Ｒｉｔｅ３１０ＴＲ）を用いて測定し、色素残存率として評価した。尚、前記反射濃度は、１、１．５及び２．０の３点で測定した。ボックス内のオゾンガス濃度は、ＡＰＰＬＩＣＳ製オゾンガスモニター（モデル：ＯＺＧ−ＥＭ−０１）を用いて設定した。
いずれの濃度でも染料残存率が８０％以上の場合をＡ、１又は２点が８０％未満をＢ、全ての濃度で７０％未満の場合をＣとして、三段階で評価した。
【０１０４】
３）画像のにじみについては、イエローの３ｃｍ×３ｃｎの正方形パターンが４つそれぞれ１ｍｍの白地隙間を形成するように「田」の字型に並んだ印字パターンを作製し、この画像サンプルを２５℃９０％ＲＨの条件下で７２時間保存後に、白地隙間におけるイエロー染料のにじみによる濃度アップを観察した。印字直後に対する白地のイエロー濃度増加がステータスＡのイエローフィルターにおいて、０．０１以下の場合をＡ、０．０１〜０．０５の場合をＢ、０．０５以上の場合をＣとした。
【０１０５】
これらの評価とは、別にISO/JIS 12640のテスト画像チャートを用いて画像の色調を目視評価した。色調が良いものを○、さらに良いものを◎とした。
以上の評価結果を表２に示す。
【０１０６】
【表２】
2005264085.tif 000027
【０１０７】
表２に示すように、本発明のインクを使用した系ではすべての性能に優れており、特に光堅牢性、耐光性で比較例に対して勝っていることが分かった。また、本発明のインクは色濃度が高く、染料の使用量が少なかった。